(57)【要約】【課題】懐中電灯等の照明器具を支持する補助具又は連結具を備えることで、照射する作業箇所の高低の位置に適応する照射方向にして照明器具を設置する。【解決手段】照明器具１に、伸縮自在になる三脚又は一脚等のカメラ用支持具２に設けられた取付ネジ３と、螺合し得るカメラ支持具用ネジ孔４を形成したものであり、この照明器具１の照射方向を固定することができ、電気工事、暗所における作業、工事等の作業箇所を照明するものである。【選択図】図１
2007134175.tif 000002
【特許請求の範囲】
【請求項１】
懐中電灯等の照明器具（１）に、伸縮自在になるカメラ用支持具（２）に設けられた取付ネジ（３）と螺合し得るカメラ支持具用ネジ孔（４）を、形成した、ことを特徴とする作業用照明装置。
【請求項２】
前記照明器具（１）に形成したカメラ支持具用ネジ孔（４）と螺合するカメラ用支持具（２）は三脚である、ことを特徴とする請求項１の作業用照明装置。
【請求項３】
前記照明器具（１）に形成したカメラ支持具用ネジ孔（４）と螺合するカメラ用支持具（２）は、下部において展開するスタンド部を具備した伸縮自在になる一脚である、ことを特徴とする請求項１の作業用照明装置。
【請求項４】
懐中電灯等の照明器具（１）と、
該照明器具（１）に取り付けた、伸縮自在になる脚部（１１）と、その下端において展開するスタンド部（１２）とからなる付属支持具（１３）と、から成り、
作業用照明装置を運搬する際には、前記付属支持具（１３）の脚部（１１）を該照明器具（１）の底面（１ａ）に張り付けるように格納し、
前記照明器具（１）を使用する際には、前記付属支持具（１３）の脚部（１１）を展開、伸張し、かつスタンド部（１２）を拡開し得るように構成した、ことを特徴とする支持具付き作業用照明装置。
【請求項５】
前記付属支持具（１３）の脚部（１１）は、内径の異なる複数の筒状の部材を摺動自在に連結したものである、ことを特徴とする請求項４の支持具付き作業用照明装置。
【請求項６】
前記付属支持具（１３）の脚部（１１）は、複数の板状の部材を摺動自在に連結したものである、ことを特徴とする請求項４の支持具付き作業用照明装置。
【請求項７】
懐中電灯等の照明器具（１）と、
該照明器具（１）に取り付けた、伸縮自在になる三脚式の付属支持具（１３）とから成り、
作業用照明装置を運搬する際には、前記付属支持具（１３）の脚部（１１）を該照明器具（１）の底面（１ａ）に張り付けるように格納し、
前記照明器具（１）を使用する際には、前記付属支持具（１３）の脚部（１１）を伸張し、かつ広げ得るように構成した、ことを特徴とする支持具付き作業用照明装置。
【請求項８】
懐中電灯等の照明器具（１）と、
スタンド（２１）付きの略長方形状のフレーム（２２）と、
前記フレーム（２２）間に昇降自在に固定し得る、前記照明器具（１）を把持するホルダー（２３）とから成り、
作業用照明装置を運搬する際には、前記フレーム（２２）間において前記ホルダー（２３）を前記照明器具（１）の長手方向と、該フレーム（２２）の長手方向と並行になるように回動させ、
前記照明器具（１）を使用する際には、前記フレーム（２２）のスタンド（２１）を下にして、前記ホルダー（２３）と共に前記照明器具（１）を、前記フレーム（２２）の長手方向と略直交位置に回動し得るように構成した、ことを特徴とする支持具付き作業用照明装置。
【請求項９】
懐中電灯等の照明器具（１）を、パイプ等の被固定部材（３１）に固定する作業用照明装置の固定支持具であって、
前記照明器具（１）に形成したネジ孔（４）と螺合する支持ネジ（３３）と、
前記支持ネジ（３３）と、首振り自在になるジョイント（３４）とを両端に連結した伸縮自在になる支持本体（３５）と、
前記ジョイント（３４）に連結した、弾性部材（３６）で常時閉じるように構成した挟持部（３７）と、から成る、ことを特徴とする作業用照明装置の支持具。
【請求項１０】
懐中電灯等の照明器具（１）を、パイプ等の被固定部材（３１）に固定する作業用照明装置の固定支持具であって、
前記照明器具（１）に形成したネジ孔（４）と螺合する支持ネジ（３３）と、
前記支持ネジ（３３）と、首振り自在になるジョイント（３４）とを両端に連結した伸縮自在になる支持本体（３５）と、
前記ジョイント（３４）に取り付けた、一端が相互に着脱自在になる２本１組みの固定用テープ（３８）と、から成る、ことを特徴とする作業用照明装置の支持具。
【請求項１１】
懐中電灯等の照明器具（１）を、パイプ等の被固定部材（３１）に固定する作業用照明装置の固定支持具であって、
前記照明器具（１）に形成したネジ孔（４）と螺合する支持ネジ（３３）と、
前記支持ネジ（３３）と、首振り自在になるジョイント（３４）とを両端に連結した伸縮自在になる支持本体（３５）と、
前記ジョイント（３４）に取り付けた、一端が相互に着脱自在になる２本１組みの固定用テープ（３８）、及び弾性部材（３６）で常時閉じるように構成した挟持部（３７）とを取り付けた、ことを特徴とする作業用照明装置の支持具。
【請求項１２】
懐中電灯等の照明器具（１）を包むように固定するフレキシブルな素材からなるシート部（４１）と、
該シート部（４１）の外周面に取り付けた、一端が相互に着脱自在になる２本１組みの固定用テープ（３８）と、
伸縮自在になるカメラ用支持具（２）に設けられた取付ネジ（３）と、螺合し得るカメラ支持具用ネジ孔（４）を形成した連結部（４２）と、から成る、ことを特徴とする作業用照明装置の支持具。
【請求項１３】
懐中電灯等の照明器具（１）を、その照射面が上方に向くように支持するスタンド（５１）と、
該スタンド（５１）に立設した、上部に反射鏡（５２）を揺動自在になるように取り付けた伸縮自在になる反射鏡昇降具（５３）と、から成り、
前記照明器具（１）の照射光を、前記反射鏡（５２）で反射させるように構成した、ことを特徴とする作業用照明装置。
【請求項１４】
前記反射鏡（５２）は、片面に板状の反射板（５２ａ）を、その片面に回転する球体表面に複数の反射片を貼り付けたミラーボール（５４）から成り、
前記反射鏡昇降具（５３）の上端で反射板（５２ａ）とミラーボール（５４）とを選択的に、前記照明器具（１）の照射光を反射させるように構成した、ことを特徴とする請求項１３の作業用照明装置。
【発明の詳細な説明】
【技術分野】
【０００１】
本発明は、懐中電灯等の照明器具を最適な照射方向に向けて設置することができる作業用照明装置に係り、特に作業箇所における作業性を向上させた作業用照明装置及びその支持具に関するものである。
【背景技術】
【０００２】
従来より、暗所において電気工事等の簡易な作業を行う際に、作業者は懐中電灯を携行し、その作業する際に懐中電灯でその作業箇所を照射していた。しかし、この懐中電灯を床等に置いたら、その作業箇所を明瞭に照明することができない。一人の作業者では懐中電灯を持って必要な場所を照らしながらの手を使った作業は困難である。
【０００３】
懐中電灯を所望の向きに固定する装置が種々提案されている。例えば、特許文献１の特開２００１−１１０２０１公報「スタンド付懐中電灯」のように、懐中電灯の胴体の両側側面の重心付近の２箇所に回転軸を設け、その回転軸に、懐中電灯を任意の角度で保持するためのＴ字型のスタンドを取り付け、スタンドは、回転軸に取り付けたネジ等で、角度を自由に固定できるようにし、スタンドを回転軸にネジ等で固定する部分は、スタンド回転時にスタンドが懐中電灯の角の部分にぶつかるのを防ぐため、回転軸に固定するスタンドの部分に長円形に穴を開け、スタンドを前後にずらすことができる構造とする技術が提案されている。
【０００４】
このスタンド付懐中電灯では、一定方向を懐中電灯で長時間照射することは可能である。また、両手を使って作業する必要がある時にも、照射したい場所をこのスタンド付懐中電灯を用いて照射できるので、停電時、キャンプ、夜釣り、夜行性昆虫採集、等で大変有用である。スタンドは、懐中電灯の重心付近に取り付けてあるので、どのような角度で固定して用いても安定している。しかも、スタンドを使用しないときは、懐中電灯の形状に沿って、収納できるので、携帯時もじゃまにはならないという特徴を有する。
【特許文献１】特開２００１−１１０２０１
【発明の開示】
【発明が解決しようとする課題】
【０００５】
特許文献１では、作業する箇所を容易に照らし、懐中電灯を設置した状態で両手は自由に使える点で優れている。しかし、実際の作業は作業者の背丈より高所位置にある場合、逆に足元の位置にある場合等様々な場所にある。特許文献１のスタンド付懐中電灯では高い位置を照らす場合等に台が必要になる等の制約があった。
【０００６】
本発明は、かかる問題点を解決するために創案されたものである。すなわち、本発明の目的は、懐中電灯等の照明器具を支持する補助具又は連結具を備えることで、照射する作業箇所の高低の位置に適応する照射方向にして照明器具を設置することができる作業用照明装置及びその支持具に関するものである。
【課題を解決するための手段】
【０００７】
本発明の作業用照明装置によれば、懐中電灯等の照明器具（１）に、伸縮自在になるカメラ用支持具（２）に設けられた取付ネジ（３）と螺合し得るカメラ支持具用ネジ孔（４）を、形成した、ことを特徴とする作業用照明装置が提供される。
前記照明器具（１）に形成したカメラ支持具用ネジ孔（４）と螺合するカメラ用支持具（２）は三脚である。
前記照明器具（１）に形成したカメラ支持具用ネジ孔（４）と螺合するカメラ用支持具（２）は、下部において展開するスタンド部を具備した伸縮自在になる一脚である。
【０００８】
本発明の支持具付き作業用照明装置によれば、懐中電灯等の照明器具（１）と、該照明器具（１）に取り付けた、伸縮自在になる脚部（１１）と、その下端において展開するスタンド部（１２）とからなる付属支持具（１３）と、から成り、作業用照明装置を運搬する際には、前記付属支持具（１３）の脚部（１１）を該照明器具（１）の底面（１ａ）に張り付けるように格納し、前記照明器具（１）を使用する際には、前記付属支持具（１３）の脚部（１１）を展開、伸張し、かつスタンド部（１２）を拡開し得るように構成した、ことを特徴とする支持具付き作業用照明装置が提供される。
前記付属支持具（１３）の脚部（１１）は、内径の異なる複数の筒状の部材を摺動自在に連結したものである。
前記付属支持具（１３）の脚部（１１）は、複数の板状の部材を摺動自在に連結したものである。
【０００９】
または、懐中電灯等の照明器具（１）と、該照明器具（１）に取り付けた、伸縮自在になる三脚式の付属支持具（１３）とから成り、作業用照明装置を運搬する際には、前記付属支持具（１３）の三脚を該照明器具（１）の底面（１ａ）に張り付けるように格納し、前記照明器具（１）を使用する際には、前記付属支持具（１３）の三脚を伸張し、かつ広げ得るように構成したものである。
【００１０】
または、懐中電灯等の照明器具（１）と、スタンド（２１）付きの略長方形状のフレーム（２２）と、前記フレーム（２２）間に昇降自在に固定し得る、前記照明器具（１）を把持するホルダー（２３）とから成り、作業用照明装置を運搬する際には、前記フレーム（２２）間において前記ホルダー（２３）を前記照明器具（１）の長手方向と、該フレーム（２２）の長手方向と並行になるように回動させ、前記照明器具（１）を使用する際には、前記フレーム（２２）のスタンド（２１）を下にして、前記ホルダー（２３）と共に前記照明器具（１）を、前記フレーム（２２）の長手方向と略直交位置に回動し得るように構成したものである。
【００１１】
本発明の支持具によれば、懐中電灯等の照明器具（１）に、パイプ等の被固定部材（３１）に固定する作業用照明装置の固定支持具であって、前記照明器具（１）に形成したネジ孔（４）と螺合する支持ネジ（３３）と、前記支持ネジ（３３）と、首振り自在になるジョイント（３４）とを両端に連結した伸縮自在になる支持本体（３５）と、前記ジョイント（３４）に連結した、弾性部材（３６）で常時閉じるように構成した挟持部（３７）と、から成る、ことを特徴とする作業用照明装置の支持具が提供される。
【００１２】
または、懐中電灯等の照明器具（１）を、パイプ等の被固定部材（３１）に固定する作業用照明装置の固定支持具であって、前記照明器具（１）に形成したネジ孔（４）と螺合する支持ネジ（３３）と、前記支持ネジ（３３）と、首振り自在になるジョイント（３４）とを両端に連結した伸縮自在になる支持本体（３５）と、前記ジョイント（３４）に取り付けた、一端が相互に着脱自在になる２本１組みの固定用テープ（３８）と、から成るものである。
【００１３】
または、懐中電灯等の照明器具（１）を、パイプ等の被固定部材（３１）に固定する作業用照明装置の固定支持具であって、前記照明器具（１）に形成したネジ孔（４）と螺合する支持ネジ（３３）と、前記支持ネジ（３３）と、首振り自在になるジョイント（３４）とを両端に連結した伸縮自在になる支持本体（３５）と、前記ジョイント（３４）に取り付けた、一端が相互に着脱自在になる２本１組みの固定用テープ（３８）、及び弾性部材（３６）で常時閉じるように構成した挟持部（３７）とを取り付けたものである。
【００１４】
または、懐中電灯等の照明器具（１）を包むように固定するフレキシブルな素材からなるシート部（４１）と、該シート部（４１）の外周面に取り付けた、一端が相互に着脱自在になる２本１組みの固定用テープ（３８）と、伸縮自在になるカメラ用支持具（２）に設けられた取付ネジ（３）と、螺合し得るカメラ支持具用ネジ孔（４）を形成した連結部（４２）と、から成るものである。
【００１５】
または、懐中電灯等の照明器具（１）を、その照射面が上方に向くように支持するスタンド（５１）と、該スタンド（５１）に立設した、上端に反射鏡（５２）を揺動自在になるように取り付けた伸縮自在になる反射鏡昇降具（５３）と、から成り、前記照明器具（１）の照射光を、前記反射鏡（５２）で反射させるように構成することができる。
前記反射鏡（５２）は、片面に板状の反射板（５２ａ）を、その片面に回転する球体表面に複数の反射片を貼り付けたミラーボール（５４）から成り、前記反射鏡昇降具（５３）の上端で反射板（５２ａ）とミラーボール（５４）とを選択的に、前記照明器具（１）の照射光を反射させるように構成したものである。
【発明の効果】
【００１６】
上述したように、本発明の作業用照明装置では、懐中電灯等の照明器具（１）を三脚等のカメラ用支持具（２）に、その照射方向を所定の方向に向けて固定することができるので、電気工事等の作業箇所を照明することができる。特に、三脚や一脚等のカメラ用支持具（２）の連結部分で照明器具（１）の照射角度を微調整することができ、作業している手元を的確に照明することができる。この作業用照明装置は、従来からある三脚や一脚等のカメラ用支持具（２）を用いるのでその汎用性が高い。
【００１７】
支持具付き作業用照明装置では、これを電気工事等の作業現場へ容易に携行することができる。この付属支持具（１３）部分の高さを調整することで、高い位置だけでなく、足元の低い位置も的確に照明することができる。この支持具付き作業用照明装置は、作業者が作業現場に携行する運搬点数が増えないので、作業者の工事作業に関する運搬物の負担増がない。
【００１８】
作業用照明装置の支持具では、作業用照明装置を使用する作業現場の周囲にパイプ、鉄骨等の被固定部材（３１）があるときに適している。特に固定用テープ（３８）を用いた固定支持具（３２）は、周囲の部材が様々な凹凸形状や変形した構造でも容易に固定することができる。
【発明を実施するための最良の形態】
【００１９】
本発明は、照射する作業箇所の高低の位置に適応する照射方向にして懐中電灯等の照明器具を設置することができ、この照明器具を支持する付属支持具又は固定支持具を備えた作業用照明装置である。
【実施例１】
【００２０】
以下、本発明の好ましい実施の形態を図面を参照して説明する。
図１は実施例１の作業用照明装置を示すものであり、（ａ）は側面図、（ｂ）は底面図、（ｃ）は正面図である。図２は実施例１の作業用照明装置をカメラ用支持具として三脚に取り付ける状態を示す正面図である。図３は実施例１の作業用照明装置をカメラ用支持具として一脚に取り付ける状態を示す正面図である。
実施例１の作業用照明装置は、懐中電灯等の電池式の照明器具１の底面１ａに、従来のカメラ用三脚等のカメラ用支持具２に設けられた取付ネジ３と螺合し得るカメラ支持具用ネジ孔４を形成したものである。このカメラ用支持具２は、伸縮自在になるものである。本発明の作業用照明装置は、主に懐中電灯等の電池式のものが適しているが、コードに配線した照明器具にも利用することができる
【００２１】
この図２に示すように、カメラ用支持具２としてのカメラ用三脚に取り付けた照明器具１は、取付部５の横方向と縦方向の各首振機構６により照射角度を調節することができる。またカメラ用三脚の各脚の開脚度により設置高さを調節することも可能である。
【００２２】
このように構成された取付部５の取付ネジ３を照明器具１のネジ孔４に螺合して締め付けると、カメラ台７の台面が照明器具１の底面１ａに接合し取り付けが完了する。作業現場においてカメラ用三脚の取付部５及び脚を各々調節するだけで、照明器具１を所望の照射方向に向けて設置することができる。
【００２３】
なお、設置しようとする場所の床面又は地面が傾いていても、首振機構６を調節するだけの簡単な操作によって、照明器具１を作業現場の最適な角度に向けて設置することができる。
【００２４】
また、図３に示すように、カメラ用支持具２としてカメラ用一脚に取り付けることも可能である。このカメラ用一脚を使用するときは、床面又は地面が水平のとき、又は平坦なときに適している。このように本発明の作業用照明装置は、従来からある三脚や一脚等のカメラ用支持具２を用いるのでその汎用性が高い。
【００２５】
実施例１の作業用照明装置では、照明器具１を従来のカメラ用三脚等によりその照射方向を固定することができるので、電気工事等の作業箇所を容易に照明することができる。特に、カメラ用三脚や一脚等のカメラ用支持具２の連結部分で照明器具１の照射角度を微調整することができ、作業している手元を的確に照明することができる。
【実施例２】
【００２６】
図４は実施例２の支持具付き作業用照明装置を示すものであり、（ａ）は側面図、（ｂ）は底面図である。図５は実施例２の支持具付き作業用照明装置を設置する状態を示す正面図である。
実施例２の支持具付き作業用照明装置は、照明器具１と、この照明器具１に取り付けた、伸縮自在になる脚部１１と、その下端において展開するスタンド部１２とからなる付属支持具１３とを備えたものである。図４と図５に示す実施例２の付属支持具１３は、所謂一脚式のもので、この付属支持具１３の脚部１１は、内径の異なる筒状の部材を摺動自在に連結したものである。
【００２７】
この実施例２の支持具付き作業用照明装置は、これを運搬する際には、付属支持具１３の脚部１１を照明器具１の底面１ａに張り付けるように格納し、照明器具１を使用する際には、付属支持具１３の脚部１１を展開、伸張し、かつスタンド部１２を拡開し得るように構成したものである。
【００２８】
この実施例２の支持具付き作業用照明装置では、この作業用照明装置を電気工事等の作業現場に携行するだけでそこを照明することができる。この付属支持具１３の高さを調整することで、高い位置だけでなく、足元の低い位置も的確に照明することができる。この支持具付き作業用照明装置は、携行点数が増えることがないので作業者の工事作業に関する運搬物の負担増がない。
【００２９】
図６は実施例２の支持具付き作業用照明装置の変形例を示すものであり、（ａ）は側面図、（ｂ）は底面図である。図７は実施例２の変形例の支持具付き作業用照明装置を設置する状態を示す正面図である。
実施例２の変形例の支持具付き作業用照明装置は、付属支持具１３の脚部１１は、板状の部材を連結したものである。このように、付属支持具１３の脚部１１に板状の部材を用いることで、支持具付き作業用照明装置をよりコンパクトにすることができる。
【００３０】
図８は実施例２の支持具付き作業用照明装置の他の変形例を示すものであり、（ａ）は側面図、（ｂ）は底面図である。図９は実施例２の他の変形例の支持具付き作業用照明装置を設置する状態を示す正面図である。
実施例２の他の変形例の支持具付き作業用照明装置は、照明器具１と、照明器具１を支持する、伸縮自在になる三脚式の付属支持具１３とから成るものである。図８と図９に示す実施例２の他の変形例の付属支持具は、所謂三脚式のもので、その機能と動作は上述したカメラ用三脚と略同様である。
【００３１】
この実施例２の他の変形例の支持具付き作業用照明装置は、これを運搬する際には、付属支持具１３の三脚を照明器具１の底面１ａに張り付けるように格納し、照明器具１を使用する際には、付属支持具１３の脚部１１を伸張し、かつ広げ得るように構成したものである。
【実施例３】
【００３２】
図１０は実施例３の支持具付き作業用照明装置を示すものであり、（ａ）は側面図、（ｂ）は底面図である。図１１は実施例３の支持具付き作業用照明装置を設置する状態を示す正面図である。
実施例３の支持具付き作業用照明装置は、照明器具１と、スタンド２１付きの略長方形状のフレーム２２と、このフレーム２２間に昇降自在に固定する、照明器具１を把持するホルダー２３とから成るものである。
【００３３】
この実施例３の支持具付き作業用照明装置は、これを運搬する際には、フレーム２２間においてホルダー２３を照明器具１の長手方向と、このフレーム２２の長手方向と並行になるように回動しておく。照明器具１を使用する際には、フレーム２２のスタンド２１を下にして、ツマミ２４を緩めてホルダー２３と共に照明器具１を、フレーム２２の長手方向と略直交位置に回動し得るように構成したものである。
【００３４】
この実施例３の支持具付き作業用照明装置は、これを運搬する際にフレーム２２の一部が運搬する際に、持ち運ぶ「取っ手」として機能する。そこで、作業者は、フレーム２２を握りながら吊り下げて運搬することができる。
【実施例４】
【００３５】
図１２は実施例４の作業用照明装置の支持具を示す平面図である。図１３は実施例４の支持具を用いて作業用照明装置をパイプ等の被固定部材に取り付けた状態を示す正面図である。
実施例４の作業用照明装置の支持具は、照明器具１をパイプ等の被固定部材３１に固定するものである。この固定支持具３２は、照明器具１に形成したネジ孔４と螺合する支持ネジ３３と、この支持ネジ３３と首振り自在になるジョイント３４とを両端に連結した伸縮自在になる支持本体３５と、ジョイント３４に連結したコイルバネ等の弾性部材３６で常時閉じるように構成した挟持部３７と、から成るものである。この挟持部３７は、ジョイント３４に連結した、略円弧形状の２本の掛止め片３７ａを湾曲形成した一端を開閉自在に軸止めすると共に、両掛止め片３７ａが閉じるように引っ張る弾性部材３６を介在したものである。
【００３６】
この実施例４の作業用照明装置の支持具は、照明器具１を使用する作業現場の周囲にパイプ、鉄骨等の被固定部材３１があるときに適している。
【００３７】
図１４は実施例４の支持具付き作業用照明装置の変形例を示す平面図である。図１５は実施例４の変形例の支持具付き作業用照明装置を異形のパイプに取り付けた状態を示す正面図である。
実施例４の固定支持具３２は、照明器具１に形成したネジ孔４と螺合する支持ネジ３３と、この支持ネジ３３と首振り自在になるジョイント３４とを両端に連結した伸縮自在になる支持本体３５と、ジョイント３４に取り付けた、一端が相互に着脱自在になる２本１組みの固定用テープ３８とから成るものである。
【００３８】
この実施例４の変形例の作業用照明装置の支持具は、固定用テープ３８を用いた固定支持具３２は、周囲の被固定部材３１が様々凹凸や変形した構造でも固定することができ、特に太い部材に適している。
【００３９】
図１６は実施例４の支持具付き作業用照明装置の他の変形例を示すも平面図である。
実施例４の支持具付き作業用照明装置は、照明器具１に形成したネジ孔４と螺合する支持ネジ３３と、この支持ネジ３３と首振り自在になるジョイント３４とを両端に連結した伸縮自在になる支持本体３５と、ジョイント３４に、一端が相互に着脱自在になる２本１組みの固定用テープ３８及び、弾性部材３６で常時閉じるように構成した挟持部３７とを取り付けたものである。
【００４０】
この実施例４の他の変形例の作業用照明装置の支持具は、固定用テープ３８の他に挟持部３７を用いた固定支持具３２、周囲の被固定部材３１が様々凹凸や変形した構造に応じてその固定手段を使い分けることができる。
【実施例５】
【００４１】
図１７は実施例５の作業用照明装置の支持具を示す斜視図である。
実施例５の作業用照明装置の支持具は、照明器具１を包むように固定するフレキシブルな素材からなるシート部４１と、シート部４１の外周面に取り付けた、一端が相互に着脱自在になる２本１組みの固定用テープ３８と、伸縮自在になるカメラ用支持具２に設けられた取付ネジ３と、螺合し得るカメラ支持具用ネジ孔４を形成した連結部４２と、から成るものである。
【００４２】
この実施例５の作業用照明装置の支持具は、円筒状の懐中電灯に適している。特に、外径の異なる種々の懐中電灯でも利用することができる。或いは、複数本の懐中電灯でも巻き付けることができる。
【実施例６】
【００４３】
図１８は実施例６の作業用照明装置を示す正面図である。図１９は実施例６の反射鏡をミラーボールに変えた状態の作業用照明装置を示す正面図である。
実施例６の作業用照明装置は、照明器具１を、その照射面が上方に向くように支持するスタンド５１と、このスタンド５１に立設した、上部に反射鏡５２を揺動自在になるように取り付けた伸縮自在になる反射鏡昇降具５３と、から成り、照明器具１の照射光を、反射鏡５２で反射させるように構成したものである。
【００４４】
反射鏡５２は、片面に板状の反射板５２ａを、その片面に回転する球体表面に反射片を貼り付けたミラーボール５４から成り、反射鏡昇降具５３の上端で反射板５２ａとミラーボール５４とを選択的に照明器具１の照射光を反射させるように構成したものである。
【００４５】
なお、本発明は上述した発明の実施の形態に限定されず、照明器具１を支持する補助具又は連結具を備えることで、照射する作業箇所の高低の位置に適応する照射方向にして照明器具１を設置することができる構造であれば、図示したような構成に限定されず、本発明の要旨を逸脱しない範囲で種々変更できることは勿論である。
【産業上の利用可能性】
【００４６】
本発明は、主に電気工事等の作業箇所を容易に照明することに利用するが、この電気工事等の作業に限定されず、夜間又は暗闇における作業又は特定の対象物を照明するときにも利用することができる。
【図面の簡単な説明】
【００４７】
【図１】実施例１の作業用照明装置を示すものであり、（ａ）は側面図、（ｂ）は底面図、（ｃ）は正面図である。
【図２】実施例１の作業用照明装置をカメラ用支持具として三脚に取り付ける状態を示す正面図である。
【図３】実施例１の作業用照明装置をカメラ用支持具として一脚に取り付ける状態を示す正面図である。
【図４】実施例２の支持具付き作業用照明装置を示すものであり、（ａ）は側面図、（ｂ）は底面図である。
【図５】実施例２の支持具付き作業用照明装置を設置する状態を示す正面図である。
【図６】実施例２の支持具付き作業用照明装置の変形例を示すものであり、（ａ）は側面図、（ｂ）は底面図である。
【図７】実施例２の変形例の支持具付き作業用照明装置を設置する状態を示す正面図である。
【図８】実施例２の支持具付き作業用照明装置の他の変形例を示すものであり、（ａ）は側面図、（ｂ）は底面図である。
【図９】実施例２の他の変形例の支持具付き作業用照明装置を設置する状態を示す正面図である。
【図１０】実施例３の支持具付き作業用照明装置を示すものであり、（ａ）は側面図、（ｂ）は底面図である。
【図１１】実施例３の支持具付き作業用照明装置を設置する状態を示す正面図である。
【図１２】実施例４の作業用照明装置の支持具を示す平面図である。
【図１３】実施例４の支持具を用いて作業用照明装置をパイプ等の被固定部材に取り付けた状態を示す正面図である。
【図１４】実施例４の支持具付き作業用照明装置の変形例を示す平面図である。
【図１５】実施例４の変形例の支持具付き作業用照明装置を異形のパイプに取り付けた状態を示す正面図である。
【図１６】実施例４の支持具付き作業用照明装置の他の変形例を示すも平面図である。
【図１７】実施例５の作業用照明装置の支持具を示す斜視図である。
【図１８】実施例６の作業用照明装置を示す正面図である。
【図１９】実施例６の反射鏡をミラーボールに変えた状態の作業用照明装置を示す正面図である。
【符号の説明】
【００４８】
１  照明器具
１ａ  照明器具の底面
２  カメラ用支持具
３  取付ネジ
４  カメラ支持具用ネジ孔
１１  付属支持具の脚部
１２  付属支持具のスタンド部
１３  付属支持具
２１  フレームのスタンド
２２  フレーム
２３  ホルダー
３１  被固定部材
３３  支持ネジ
３４  ジョイント
３５  支持本体
３６  弾性部材
３７  挟持部
３８  固定用テープ
４１  シート部
４２  連結部
５１  スタンド
５２  反射鏡
５２ａ  反射板
５３  反射鏡昇降具
５４  ミラーボール
【図１】
2007134175.tif 000003
【図２】
2007134175.tif 000004
【図３】
2007134175.tif 000005
【図４】
2007134175.tif 000006
【図５】
2007134175.tif 000007
【図６】
2007134175.tif 000008
【図７】
2007134175.tif 000009
【図８】
2007134175.tif 000010
【図９】
2007134175.tif 000011
【図１０】
2007134175.tif 000012
【図１１】
2007134175.tif 000013
【図１２】
2007134175.tif 000014
【図１３】
2007134175.tif 000015
【図１４】
2007134175.tif 000016
【図１５】
2007134175.tif 000017
【図１６】
2007134175.tif 000018
【図１７】
2007134175.tif 000019
【図１８】
2007134175.tif 000020
【図１９】
2007134175.tif 000021